(57)【要約】【課題】  機密情報を含む印字物または印刷物の原本ハードコピーからの不正ハードコピーの複製を抑止すること。【解決手段】 機密情報を含む電子情報を所定の方法で紙面に表示して原本ハードコピーを作成するとともに、同一紙面に特殊トナーを用いて原本ハードコピーの作成命令者の氏名等を潜像的に印字するシステム。【選択図】図１
2005315921.tif 000002
【特許請求の範囲】
【請求項１】
機密を含む電子情報から作成した原本ハードコピーからの不正なハードコピー等の複製を抑止するために、前記機密を含む電子情報を所定の方法で紙面に表示すると共に、特殊トナーまたは特殊インクを用いて前記原本ハードコピーの作成を命ずる者の氏名および／または前記原本ハードコピーを作成する日時等を潜像的に前記紙面に表示する方法によって前記原本ハードコピーを作成するシステム。
【請求項２】
前記潜像的に前記紙面に表示する方法が印字方法である、請求項１に記載のシステム。
【請求項３】
前記潜像的に前記紙面に表示する方法が印刷方法である、請求項１に記載のシステム。
【請求項４】
前記特殊なトナーまたは特殊なインクが金属粉末を含む、請求項１、２または３のいずれか１項に記載のシステム。
【請求項５】
前記特殊なトナーまたは特殊なインクが透明性である、請求項１、２、３または４のいずれか１項に記載のシステム。
【請求項６】
前記機密を含む電子情報を所定の方法で紙面に表示する前に、前記特殊トナーまたは特殊インクを用いて前記原本ハードコピーの作成を命ずる者の氏名および／または前記原本ハードコピーを作成する日時等を潜像的に前記紙面に印字または印刷する、請求項１、２、３、４または５のいずれか１項に記載のシステム。
【請求項７】
前記特殊トナーまたは特殊インクを用いて前記原本ハードコピーの作成を命ずる者の氏名および／または前記原本ハードコピーを作成する日時等を潜像的に表示する紙面面積が、前記機密を含む電子情報を所定の方法で表示する紙面面積の５０％乃至１００％である、請求項１、２、３、４、５または６のいずれか１項に記載のシステム。
【発明の詳細な説明】
【技術分野】
【０００１】
本発明は、機密を含む電子情報から作成した原本ハードコピーからの不正なハードコピー等の複製を抑止するために、特殊トナーまたは特殊インクを用いて、原本ハードコピーの作成を命ずる者の氏名および／または日時等を潜像的に紙面に表示するシステムに関する。
【技術背景】
【０００２】
情報セキュリティにおいて、機密情報を電子的に流す場合、通信記録を自動的に残し、容易に消去できない方法で保管することが可能であり、情報漏洩の抑止策として活用されている。
【０００３】
しかし、機密電子情報から得られた機密情報を含む印字物または印刷物等の原本ハードコピーは、誰が命じて何時印字したまたは印刷したものかの記録が紙面等のハードコピーに残らない現状にあり、機密情報を含む印字物または印刷物等の原本ハードコピーの管理が情報セキュリティにおける弱点になっている。
【０００４】
従来から不正ハードコピー対策として多くの提案がなされてきた。この場合、複写防止と偽造防止の観点から取り組まれてきた。すなわち、複写防止の取り組みでは、原本印字物または印刷物等であるハードコピーは内容が明瞭に判読できるがこの原本の複写物であるハードコピーは内容が判読できないようすることを目指し、偽造防止では原本の複写物であるハードコピーの内容が判読できても明らかに偽造したものであることが分かることを目指してきた。
【０００５】
新偽造防止技術として、カラーコピー機で複写すると「不可」「ＣＯＰＹ」などの文字が浮かび上がる用紙が提案されている（ HYPERLINK http://www.toppan.co.jp/aboutus/release/article457.html http://www.toppan.co.jp/aboutus/release/article457.html参照）。コピー機によってはうまく文字が浮かびあがらないことがあり、不確実である欠点がある。
【０００６】
また、複写防止の観点からいくつかの方法が提案されている。例えば、着色した用紙を用いるものがある。用紙を染料または顔料で着色して非画像部および画像部の照射光線の吸収の差を少なくすることによって、感光体への像露光をなくして再複写を防止するものである。しかし、複写不能にするには用紙の着色濃度を高くする必要があり、原稿の判読に支障をきたし、また再複写を完全に防止することはできない。
【０００７】
迷彩模様を印刷した用紙を用いるものがある。用紙に地紋等を印刷したもので、複写すると地紋が明瞭に複写されて読みづらくしたりするものであるが、判読は可能であり、コスト的に高い。
【０００８】
特殊処理を施した用紙を複写機がセンサーで検知して複写作動を停止させるものもある。用紙を磁気材料や赤外線吸収材料等で処理して、再複写時に特別に取り付けた複写機のセンサーが、それを検知して複写作動を停止させるものであるが、このような特殊機能のない普通の複写機にかければ複写が行われる欠点がある。
【０００９】
熱や光により発光または消色するインクやトナーを用いるものがある。複写機の熱や露光によって発光または消色するインクやトナーを用いた原稿により再複写を防止するもので、複写機によって発光または消光が行われない場合もあるという不確実さがあるし、長時間の使用に耐えない欠点がある。
【００１０】
また、色材の光沢差を利用したコピー防止用シートがある。このシートには基材面に真がん判定部が形成されており、真がん判定部が反射率の低い暗色インクからなる下地と、その上に施されたオーバープリント・ニス部で構成されている。
【特許文献１】特開昭６２−２９６１５４号公報
【特許文献２】特開昭６３−３１４５８３号公報
【特許文献３】特開昭６２−１８８７８２号公報
【特許文献４】特開昭６３−３１１２６５号公報
【特許文献５】特開平２０００１−２３９７４３号公報
【００１１】
しかしながら、これらを含めいろいろの手段が提案されているが、いずれの方式も不正ハードコピー等の複製を抑止しようとするものではない。現在は、機密文書用に着色した用紙を使用することにより、機密文書であることを認識させ、機密文書に対する注意を喚起し、不正ハードコピー作成を牽制している程度である。
【００１２】
従って、機密情報等を含む印字物または印刷物等の原本ハードコピーからの印字物または印刷物等の不正なハードコピー複製を抑止するという発想は、既存の文献には存在しなかった。
【発明の開示】
【発明が解決しようとする課題】
【００１３】
本発明が解決しようとする課題は、機密電子情報から印字したまたは印刷した機密情報を含む印字物または印刷物等の原本ハードコピーからの不正ハードコピー等の複製を抑止することである。パーソナル・コンピュータ（以下パソコンとも称する）等の記録媒体に入力された機密電子情報から印字機（以下プリンターとも称する）又は印刷機により作成された印字物または印刷物等の原本ハードコピーを複製者が複写機またはスキャナー等により複製するときに、原本ハードコピーの複製物であるハードコピー等に原本ハードコピーの作成を命じた者の氏名、作成日時等が視認可能に出現する仕組みを提供することである。
【００１４】
本発明では、「原本ハードコピーの複製物であるハードコピー等」という用語には、原本ハードコピーをスキャナーで読み取った場合には、複製ハードコピーと同一内容である、複製ハードコピーを作成する前の複製電子情報の表示物をも含む。
【課題を解決するための手段】
【００１５】
本発明では、情報管理区域内で、パソコン等の記録媒体に入力された機密電子情報からプリンターまたは印刷機により印字物または印刷物等の原本ハードコピーを所定の方法で作成する場合に、この機密電子情報本文とは別に原本ハードコピーの作成を命ずる者の氏名、作成日時等を特殊なトナーまたは特殊なインクを用いて肉眼では比較的目に付かないように同一紙面に潜像的に印字するまたは印刷する。
【００１６】
本発明の特殊なトナーまたは特殊なインクを用いた結果、情報非管理区域等にて、この原本ハードコピーから複製者が複写機またはスキャナー等により複製するときに市販されているほとんどの複写機またはスキャナー等において、原本ハードコピーの複製物であるハードコピー等に原本の作成を命じた者の氏名、作成日時等が原本ハードコピーよりも濃い濃度で視認可能に出現するようにする。
【００１７】
すなわち、本発明、詳細には本発明の課題解決手段は、機密を含む電子情報から作成した原本ハードコピーからの不正なハードコピー等の複製を抑止するために、前記機密を含む電子情報を所定の方法で紙面に表示すると共に、特殊トナーまたは特殊インクを用いて前記原本ハードコピーの作成を命ずる者の氏名および／または前記原本ハードコピーを作成する日時等を潜像的に前記紙面に表示する方法によって前記原本ハードコピーを作成するシステムである。
【００１８】
上記の所定の方法は、従来からのパソコンに接続した一般的なプリンターまたは印刷機で印字または印刷する方法である。
【００１９】
また、本発明では、情報管理区域内において原パソコンの記録媒体から別のパソコン等の記録媒体に電子機密情報が電子的に送られた後も、印字物または印刷物等の別の原本ハードコピー等を作成する場合に、別の原本ハードコピーの作成を命じる者の氏名、作成日時等が機密情報本文とは別に特殊なトナーまたは特殊なインクで肉眼では比較的目に付かないように同一紙面に潜像的に印字または印刷される。
【００２０】
本発明の特殊トナーまたは特殊インクを用いることにより、肉眼では比較的目に付かない色濃度で潜像的に印字または印刷でき、機密情報等を含む印字物または印刷物の原本ハードコピーの記述内容、本文を読むとき邪魔にならないが、原本ハードコピーから複写機またはスキャナーを用いて複製した複製ハードコピー等には暗色の原本ハードコピー作成命令者名等が出現し、その機密情報本文を読むときに視認できるように、この特殊トナーまたは特殊インクを使用して原本ハードコピー作成命令者名等の本文以外の文字を同一紙面に潜像的に印字または印刷することを最も主要な特徴とする。
【００２１】
本発明の特殊トナーまたは特殊インクは、例えば、光を反射する能力のある物質粉末を含み色が薄く、バインダーは透明性である。物質粉末としては、金属粉末が好ましい。特殊トナー又は特殊インク中に金属反射面を持った粉末を配合する。金属だけでなく、金属蒸着膜含有物、反射面を有するプラスチック細片の粉末も使用可能である。
【００２２】
本発明の特殊トナーまたは特殊インクを用いる原本ハードコピー印字方式または印刷方式は、特に限定されない。本発明の特殊トナーまたは特殊インクを用いる原本ハードコピーの印字方式には、インクジェット、ＰＰＣ（トナー転写）、および熱転写等が含まれる。 従って、本発明の特殊インクには、熱転写方式に使用するインクリボンを構成するインクも含まれる。本発明の特殊インクを用いる印刷方式には、凸版、平版（オフセット）、凹版（グラビア）、および孔版等が含まれる。
【００２３】
本発明で使用するプリンターまたは印刷機は、特に限定されないが、２色機が好ましい。
【発明の効果】
【００２４】
本発明の特殊トナーまたは特殊インクを使用することにより、機密情報等を含む印字物又は印刷物である原本ハードコピーを複製した場合、複製ハードコピー等に、原本ハードコピーの作成命令者氏名および／または原本ハードコピーの作成日時等が視認可能に出現し、機密情報等の出所が明らかになるため漏洩ルートが追求されやすくなる。原本ハードコピー作成命令者はその元となる機密情報の取り扱いに慎重になり、原本ハードコピーからの情報漏洩が抑止できる。
【００２５】
本発明によれば、不正な複製物を見た場合に流出経路が容易に判明するため、原本ハードコピーにアクセスする全ての者に対して不正複製への抑制力が作用する。
【００２６】
本発明の不正ハードコピー複製抑止の効果が発揮される対象としての複製機である複写機またはスキャナーは、市場で主に使用されている、複製機の光源からの入射光の正反射光を感知しない全ての複製機で有効である。
【発明を実施するための最良の形態】
【００２７】
本発明の実施には、機密を含む電子情報から作成した原本ハードコピーからの不正なハードコピー等の複製を抑止するために、前記機密を含む電子情報を所定の方法で紙面に表示すると共に、特殊トナーまたは特殊インクを用いて前記原本ハードコピーの作成を命ずる者の氏名および／または前記原本ハードコピーを作成する日時等を潜像的に前記紙面に表示する方法によって前記原本ハードコピーを作成するシステムを使用する。
【００２８】
すなわち、本発明を実施する場合、機密情報を含む電子情報から印字機または印刷機を用いて電子情報の印字物または印刷物である原本ハードコピーを作成するとき、先ず、プリンターまたは印刷機がパソコン等から指令を受けて原本ハードコピーの作成命令者名、作成日時等を、紙面に広く印字するまたは印刷するソフトウェアを組み込む。
【００２９】
次に、組み込んだソフトウェア等を使用して機密情報を含む電子情報を印字または印刷する場合、機密情報を含む電子情報を所定のトナー又はインクを用いて所定の方法で所定の紙面に印字または印刷して原本ハードコピーを得るとともに、この原本ハードコピーの作成命令者名、作成日時等を特殊トナーまたは特殊インクを用いて、この所定の紙面にこの所定の方法で印字または印刷された印字部または印刷部の一部面積乃至全面積に地模様的に潜像的に印字または印刷する。
【００３０】
ここで、所定のトナーまたはインクは、インクジェット、ＰＰＣ、または熱転写等の印字方式、並びに凸版、凹版、平版または孔版等の印刷方式等の所定の方法に使用されるトナーまたはインクである。
【００３１】
所定の紙面は、各印字方式または各印刷方式に適した、インクジェット用紙、ＰＰＣ用紙、熱転写用紙、印刷用紙等の紙面である。
【００３２】
機密電子情報の表示、印字または印刷と原本ハードコピー作成命令者名等の印字または印刷は、用紙の同一紙面を使用する。この場合、１回通しで行っても２回通しで行ってもよい。好ましくは、機密を含む電子情報を所定の方法で紙面に表示する前に、特殊トナーまたは特殊インクを用いて原本ハードコピーの作成を命ずる者の氏名および／または作成する日時等を潜像的に紙面に印字または印刷する。原本ハードコピー作成命令者名等を印字または印刷する紙面面積は、機密情報が表示、印字または印刷される紙面面積の５０％乃至１００％が好ましい。
【００３３】
複写機またはスキャナー等の光源に含まれる波長の光を反射する能力のある粉末面は入射光を特定の方向のみに反射する。この反射光は複写機またはスキャナー等の受光部に届かない確率が高い。従って、このような光を反射する能力を有する粉末面を持つ粒子を含む特殊トナーまたは特殊インクで印字または印刷された画像部または画線部、即ち原本ハードコピー作成命令者名等は、複写機またはスキャナー等で黒色に近い色として扱われる。例えば、機密情報等を含む原本ハードコピーの作成命令者または作成日時が印字された部分に存在する金属光沢を持った粉末面はキラキラするが、複製された後のこの部分は高い確率で黒点の連続となり、原本ハードコピー作成命令者または作成日時を表わす文字が複製ハードコピー等に視認可能に出現し、明確に視認できるようになる。
【００３４】
本発明の特殊トナー又は特殊インクは、肉眼では比較的目に付かず、原本の機密情報を読むのに邪魔にならないが、複写機またはスキャナーで作成した複製ハードコピー等では明瞭に視認できるようになる。例えば、光の反射能力の高い金属粉等の配合による。
【００３５】
図１には、情報管理区域と不正が発生する可能性のある情報非管理区域とが示されている。情報管理区域では、親パソコンで機密を含む電子情報が入力、記憶され、親パソコンに接続された印字機でこの電子情報が所定の方法で紙面に印字されると共に原本ハードコピー作成命令者名等が同一紙面に潜像的に印字される。
【００３６】
情報非管理区域では、情報管理区域内で作成された印字物である原本ハードコピーから複製機およびスキャナーにて不正な複製ハードコピーが複製される場合に、潜像的に印字された原本ハードコピーの作成命令者名等が視認可能に出現することが明白になっているため、複製が抑止される。この場合、情報非管理区域で原本ハードコピーからスキャナーで取り出された、機密を含む電子情報がパソコン画面に表示される場合も、同様に、複製が抑止される。
【００３７】
また、情報管理区域内では親パソコンから電子情報が送られる子パソコンからも、親パソコンと同様に子パソコンに接続された印字機でこの電子情報が紙面に印字されるとともに原本ハードコピー作成命令者名等が同一紙面に潜像的に印字される。従って、情報非管理区域では子パソコンから作成された原本ハードコピーについても、複製が抑止される。
【産業上の利用可能性】
【００３８】
本発明を実施する場合、既存のパソコン関連の仕組みを若干変更するだけで良いので、安価に実施できるとともに信頼性も低下しない。例えば、パソコンの一般的な印字ソフトに本発明の特殊トナーまたは特殊インクを用いる印字機能または印刷機能を追加するのみでよい。本発明の特殊トナーまたは特殊インクは、新たにカートリッジを追加してもよいが、既存の２色用印字機または印刷機の一方のインクカートリッジまたはインク供給源に充填してもよい。本発明の特殊トナーまたは特殊インクは、既存の無色乃至微着色の透明インクに、例えば金属粉末と分散剤を添加してつくることができる。
【００３９】
このように本発明は問題無く実施可能であるといえる。
【図面の簡単な説明】
【００４０】
【図１】図１に、本発明の仕組みを説明するためにシステムの機器構成および複製の形態の具体例を示す。
【図１】
2005315921.tif 000003
【手続補正書】
【提出日】平成17年6月8日(2005.6.8)
【手続補正１】
【補正対象書類名】明細書
【補正対象項目名】００１０
【補正方法】変更
【補正の内容】
【００１０】
また、色材の光沢差を利用したコピー防止用シートがある。このシートには基材面に真がん判定部が形成されており、真がん判定部が反射率の低い暗色インクからなる下地と、その上に施されたオーバープリント・ニス部で構成されている。
【特許文献１】特開昭６２−２９６１５４号公報
【特許文献２】特開昭６３−３１４５８３号公報
【特許文献３】実開昭６２−１８８７８２号公報
【特許文献４】特開昭６３−３１１２６５号公報
【特許文献５】特開２００１−２３９７４３号公報